(57)【要約】【課題】クリック感の設定が容易で、安定したキャップの開閉操作が可能な内蓋や蓋部を備えた蓋付き容器を提供する。【解決手段】容器本体２と、容器本体２の頸部２２に対して螺着自在であり、筒状の内面と多角形状の外面とを有するカップ状の内蓋４と、内蓋４の外面に嵌合される外蓋５とを備え、容器本体２に対する内蓋４の螺着完了位置を決定するよう、内蓋４の開口端部４３には、多角形状の角部から螺着軸方向に沿って突出量を揃えて突出形成される複数の突出部４４、４９と突出部４４から内側に向けて形成される少なくとも一つの膨出部とを有し、容器本体２には、容器本体２の頸部２２から共に外向きに突出形成され、内蓋４の螺着操作時に膨出部が外方に乗越え可能な第１突起と、膨出部が第１突起を乗り越えた位置で突出部４４の回転を規制する第２突起とを有する回転防止機構を備えている。【選択図】図２
2014148356.tif 000002
【特許請求の範囲】
【請求項１】
容器本体と、
当該容器本体の頸部に対して螺着自在であり、筒状の内面と多角形状の外面とを有するカップ状の内蓋と、
当該内蓋の外面に嵌合される外蓋とを備え、
前記容器本体に対する前記内蓋の螺着完了位置を決定するよう、
前記内蓋の開口端部には、前記多角形状の角部から螺着軸方向に沿って突出量を揃えて突出形成される複数の突出部と当該突出部から内側に向けて形成される少なくとも一つの膨出部とを有し、
前記容器本体には、当該容器本体の頸部から共に外向きに突出形成され、前記内蓋の螺着操作時に前記膨出部が外方に乗越え可能な第１突起と、
前記膨出部が前記第１突起を乗り越えた位置で前記突出部の回転を規制する第２突起と、を有する回転防止機構を備えた蓋付き容器。
【請求項２】
前記外蓋に前記内蓋と嵌合するアンダーカットを設けると共に、前記開口端部の外周側には、前記外蓋と嵌合する外面を有するフランジ部を設けた請求項１に記載の蓋付き容器。
【請求項３】
前記内蓋の外面のうち前記内蓋の底面と前記開口端部との間の位置に、前記外蓋と嵌合するリブ部を設けた請求項２に記載の蓋付き容器。
【請求項４】
前記フランジ部の外面のうち前記突出部の基端部近傍に、径外方向に突出した突起を設けている請求項２または３に記載の蓋付き容器。
【請求項５】
前記突出部に、前記内蓋が螺着する方向の後端に向かって突出量が小さくなる傾斜部を設けた請求項１〜４のいずれか一項に記載の蓋付き容器。
【請求項６】
頸部を有する容器本体と、
前記頸部に対して螺着する有底孔状の螺合部、および、当該螺合部の開口端部に設けられた多角形状の端面を、開口側に備えた蓋部とを備え、
前記容器本体に対する前記蓋部の螺着完了位置を決定するよう、
前記蓋部には、前記多角形状の端面の角部から螺着軸方向に沿って突出量を揃えて突出形成される複数の突出部と当該突出部から内側に向けて形成される少なくとも一つの膨出部とを有し、
前記容器本体には、当該容器本体の頸部から共に外向きに突出形成され、前記蓋部の螺着操作時に前記膨出部が外方に乗越え可能な第１突起と、
前記膨出部が前記第１突起を乗り越えた位置で前記突出部の回転を規制する第２突起と、を有する回転防止機構を備えた蓋付き容器。
【請求項７】
前記多角形状の端面は、カップ状を呈する前記蓋部の天井裏面から前記蓋部の開口側に向けて突出する柱状部の先端に形成してある請求項６に記載の蓋付容器。
【請求項８】
前記多角形状の端面は、前記蓋部の開口側から前記蓋部の頂部の側に向けて段落ち状態に形成してある請求項６に記載の蓋付容器。
【請求項９】
前記突出部に、前記蓋部が螺着する方向の後端に向かって突出量が小さくなる傾斜部を設けた請求項６〜８のいずれか一項に記載の蓋付き容器。
【発明の詳細な説明】
【技術分野】
【０００１】
本発明は、容器本体と、容器本体の頸部に対して螺着自在であり、筒状の内面を有するカップ状の内蓋と、内蓋の外面に嵌合される外蓋とを備える蓋付き容器、および、容器本体と、容器本体の頸部に対して螺着自在である蓋部とを備える蓋付き容器に関する。
【背景技術】
【０００２】
このような蓋付き容器としては、例えば特許文献１に示すようなものがあった。この蓋付き容器は、液体収容空間を形成する容器本体と、容器本体の頸部に対して螺着自在である有底円筒状の内蓋と、内蓋と一体的に成形される有底円筒状の外蓋と、を備えている。また、内蓋と容器本体とには、内蓋の開口側の内周面から内方に突出する被係止部と、容器本体の頸部から外方に突出する第１係止部及び第２係止部とが形成されている。
【０００３】
内蓋と外蓋とで構成されるキャップを容器本体に対して螺着操作する際、被係止部は、第１係止部に当接して外方へ乗越えた後、第２係止部に当接して回転が規制される。被係止部が第１係止部を乗越えた後に、キャップの周壁が弾性的に復元することによって所望のクリック感を得ることができるので、使用者はキャップが閉まったことを感知できる。
【先行技術文献】
【特許文献】
【０００４】
【特許文献１】ＷＯ２０１２／１０５６０５号公報
【発明の概要】
【発明が解決しようとする課題】
【０００５】
このような従来の蓋付き容器においては、内蓋及び外蓋の双方が一体であるので、内蓋の被係止部が径外方向に弾性変形するのに伴って、双方の周壁が弾性変形する。このため、クリック感の設定に際し、双方の強度設計が必要となる。
一方、容器の注液口に合わせて内蓋形状を変更したり、開閉しやすいように外蓋形状を変更したりすることがある。形状変更にあたって、被係止部の大きさに加えて内蓋及び外蓋の壁厚も考慮しながら強度設計を行い、当該壁厚に合わせて外観形状を設計することとなる。このように、形状を変更する度に、内蓋及び外蓋双方の煩雑な設計を繰返すこととなるので、非常に手間がかかる。
このため、所望のクリック感を得るための強度設計を簡略化できる内蓋構造が求められていた。
【０００６】
そこで、本発明の目的は、クリック感の設定が容易で、安定したキャップの開閉操作が可能な内蓋や蓋部を備えた蓋付き容器を提供することにある。
【課題を解決するための手段】
【０００７】
本発明の蓋付き容器の特徴構成は、容器本体と、当該容器本体の頸部に対して螺着自在であり、筒状の内面と多角形状の外面とを有するカップ状の内蓋と、当該内蓋の外面に嵌合される外蓋とを備え、
前記容器本体に対する前記内蓋の螺着完了位置を決定するよう、
前記内蓋の開口端部には、前記多角形状の角部から螺着軸方向に沿って突出量を揃えて突出形成される複数の突出部と当該突出部から内側に向けて形成される少なくとも一つの膨出部とを有し、
前記容器本体には、当該容器本体の頸部から共に外向きに突出形成され、前記内蓋の螺着操作時に前記膨出部が外方に乗越え可能な第１突起と、前記膨出部が前記第１突起を乗り越えた位置で前記突出部の回転を規制する第２突起と、を有する回転防止機構を備えた点にある。
【０００８】
本願発明は、内蓋の開口端部から螺着軸方向に沿って突出形成した突出部を設けている。このため、キャップの開閉操作時、第１突起から外方に押圧力を受けた突出部が弾性変形することによって、クリック感を得ることができる。
このクリック感の設定にあたり弾性変形する部材の強度設計が必要となるが、その設計に際して、内蓋及び外蓋双方の強度を合わせて考慮する必要がなく、突出部の強度のみを設定するだけでよい。このため、煩雑な強度設計は必要なく、クリック感の設定が容易である。
【０００９】
一方、螺着操作を繰り返すことで、第１突起からの押圧力に起因する突出部の弾性変形や、螺着操作時の回転トルクに起因する突出部の曲げ変形などが生じるおそれがある。
本構成によると、内蓋の開口端部のうち剛性が高く且つ空間を多く確保できる多角形状の角部に突出部を配置している。すなわち、多角形状の角部の屈曲形状に沿って、径方向に十分な肉厚を持った突出部を形成することが可能となるので、突出部の弾性復元力を維持しながら、限られたスペースで第１突起からの押圧力に対する強度や回転方向の強度を効果的に発揮できる構成となっている。
また、多角形状の角部から突出量を揃えて複数の突出部を設けているので、内蓋を水平な面に載置するような場合に、バランスよく内蓋を載置することができる。このため、内蓋の製造工程において安定してベルト搬送することができ、製造効率が高まる。
さらに、内蓋の容器本体への螺着操作時に、膨出部が第１突起を乗越えた位置で突出部が第２突起によって回転を規制されるので、使用者はキャップが閉まったことを感知することができる。
【００１０】
上述の構成において、前記外蓋に前記内蓋と嵌合するアンダーカットを設けると共に、前記開口端部の外周側には、前記外蓋と嵌合する外面を有するフランジ部を設けていると好適である。
【００１１】
本構成によると、外蓋のアンダーカットと内蓋のフランジ部とが嵌合することで、内蓋と外蓋とのがたつきを低減し螺着操作時の安定感が高まる。
【００１２】
上述の構成において、前記内蓋の外面のうち前記内蓋の底面と前記開口端部との間の位置に、前記外蓋と嵌合するリブ部を設けていると好適である。
【００１３】
本構成によると、外蓋のアンダーカットと内蓋のフランジ部及びリブ部の双方とが嵌合することによって、内蓋の上下左右方向の移動が規制されるので、内蓋と外蓋とのがたつきをより低減できる。
【００１４】
上述の構成において、前記フランジ部の外面のうち前記突出部の基端部近傍に、径外方向に突出した突起を設けていると好適である。
【００１５】
突出部が第１突起を乗り越えたり、第２突起に回転を規制される時、使用者がキャップを回転させるトルクによって、内蓋と外蓋との間の僅かな隙間の分だけ両者が相対移動し、内蓋に対して外蓋が回転方向にがたつくおそれがある。
本構成によれば、フランジ部に突起を設けることで内蓋と外蓋との当接力を高め、内蓋に対する外蓋の回転のがたつきを抑制することができる。特に、突起を突出部近傍の位置に配置して、第１突起や第２突起から受けるトルクの伝達経路を短く設定している。このため、内蓋と外蓋との当接力により回転トルクが効果的に相殺され、内蓋の広い領域に伝播することが制限されるので、キャップを開閉操作する時の安定感が高まる。
【００１６】
前記突出部に、前記内蓋が螺着する方向の後端に向かって突出量が小さくなる傾斜部を設けていると好適である。
【００１７】
使用に際して、キャップは何度も第２突起に当接して回転が規制される。よって、仮に大きな回転トルクが加えられた場合にもキャップが適正に機能するために、突出部には十分な強度が必要となる。このため、突出部を極力大きく構成する必要があるが、容器本体の形状と整合を取る必要上、サイズを変更するにも限界がある。
本構成によると、突出部に傾斜部を設けることで、第２突起との接触を回避しながら、突出部を極力大きく構成することができる。
【００１８】
本発明の蓋付き容器の他の特徴構成は、頸部を有する容器本体と、前記頸部に対して螺着する有底孔状の螺合部、および、当該螺合部の開口端部に設けられた多角形状の端面を、開口側に備えた蓋部とを備え、前記容器本体に対する前記蓋部の螺着完了位置を決定するよう、前記蓋部には、前記多角形状の端面の角部から螺着軸方向に沿って突出量を揃えて突出形成される複数の突出部と当該突出部から内側に向けて形成される少なくとも一つの膨出部とを有し、前記容器本体には、当該容器本体の頸部から共に外向きに突出形成され、前記蓋部の螺着操作時に前記膨出部が外方に乗越え可能な第１突起と、前記膨出部が前記第１突起を乗り越えた位置で前記突出部の回転を規制する第２突起と、を有する回転防止機構を備えた点にある。
また、前記多角形状の端面は、カップ状を呈する前記蓋部の天井裏面から前記蓋部の開口側に向けて突出する柱状部の先端に形成したり、前記蓋部の開口側から前記蓋部の頂部の側に向けて段落ち状態に形成したりする形態が好ましい。
さらに、前記内蓋が螺着する方向の後端に向かって突出量が小さくなる傾斜部を設けていると好適である。
【００１９】
本構成においても、突出部の強度のみを設定するだけで良いので煩雑な強度設計は必要なく、クリック感の設定が容易である。また、蓋部の開口側に形成される端面のうち、剛性が高く且つ空間を多く確保できる多角形状の角部に突出部を配置しているので、限られたスペースで突出部の強度を効果的に発揮できる。さらに、突出部に傾斜部を設けることで、第２突起との接触を回避しながら突出部を極力大きく構成することができるので、安定したキャップの開閉操作が可能である。
特に、本構成では、内蓋を設けず、蓋部の螺合部の開口端部に多角形状の端面を設けるといった一体成形品であるので生産効率が高まる。
【図面の簡単な説明】
【００２０】
【図１】蓋付き容器の全体斜視図である。
【図２】蓋付き容器の断面図である。
【図３】内蓋の正面から見た断面図である。
【図４】内蓋の側面図である。
【図５】内蓋の開口端部の斜視図である。
【図６】内蓋の容器本体への螺着操作に関する模式図である。
【図７】内蓋の容器本体への螺着操作に関する模式図である。
【図８】内蓋の容器本体への螺着操作に関する模式図である。
【図９】内蓋と容器本体との斜視図である。
【図１０】別実施形態１における内蓋の開口端部を示す図である。
【図１１】別実施形態２における蓋部の斜視図である。
【図１２】別実施形態３における蓋部の斜視図である。
【発明を実施するための形態】
【００２１】
以下、本発明に係る蓋付き容器１の実施形態について、図面に基づき説明する。本実施形態では、蓋付き容器１として、点眼液を眼に投与する点眼容器１を用いた実施例を示す。ただし、以下の実施形態に限定されることなく、その要旨を逸脱しない範囲内で種々の変形が可能である。例えば、蓋付き容器１の内容物は、点眼液などの液体に限らず、パウダーや丸粒材などの固形物であっても良い。
【００２２】
１．全体構成
図１及び図２に、本実施形態の点眼容器１（蓋付き容器１の一例）の全体図を示す。この点眼容器１は、液体収容空間２５を形成する外形が四角柱状の容器本体２と、容器本体２に装着される中栓３と、容器本体２に螺着自在であるカップ状の内蓋４と、内蓋４に嵌合され外形が四角柱状の外蓋５と、を有する。外蓋５に内蓋４を内嵌することでキャップ６が形成され、キャップ６を開閉操作することで、内蓋４が容器本体２に着脱自在に構成されている。
【００２３】
容器本体２は、ＰＥＴ（ポリエチレン・テレフタレート）などの樹脂を用いてブロー成形や真空成形が施され、内部に液体収容空間２５が形成される。外蓋５は、アクリル系樹脂やエチレン系樹脂などを用いて製造される。内蓋４や中栓３は、ポリプロピレンや電子線滅菌処理で劣化しにくいポリエチレンなどの樹脂を用いて製造される。
容器本体２と外蓋５とは、図１及び図２に示すように、同様の幅や奥行きを持った四角柱状の外形で構成される。
使用者は、外蓋５の大きな外面を把持して開閉操作を行うことができるので、小さな回転力で大きな回転トルクを得ることができる。このため、キャップ６の開閉が容易で、利便性に優れた点眼容器１となっている一方で、通常の点眼容器と比較して大きな回転トルクが内蓋４にかかるので、内蓋４の強度を確保する必要性が高いものとなっている。
なお、製造方法や樹脂材料はこれに限られるものではなく、適宜選択が可能である。また、外蓋５の外形は、小さな回転力で大きな回転トルクを得ることができるものであればどのような形状でも良く、例えば、六角形などの多角形状や、有底円筒状のものでも良い。
【００２４】
２．容器本体
図２に示すように、容器本体２は、目薬用の薬液等の液体収容空間２５を形成する底面が閉塞された胴部２１と、胴部２１の底面とは反対側に設けられた筒状の頸部２２と、頸部２２から中栓３まで螺旋状に設けられた雄ねじ部２３と、中栓３を内嵌可能に開口した筒状の開口頂部２４と、を有する。点眼容器１は、例えば、容器本体２の雄ねじ部２３が二条ねじで形成される。
【００２５】
胴部２１は、外形の断面が矩形状に構成されている。使用者は、胴部２１の中央付近を押圧することで液体収容空間２５の内圧を高め、液体を中栓３に向かって上昇させ、注液口３４から眼に点眼液を滴下させる。
図２及び図６に示すように、頸部２２には、径外方向に突出する突起部２８が対向して設けられている。内蓋４の螺着操作は後述するが、図６〜図８に示すように、突起部２８は、内蓋４の突出部４４を径外方向に弾性変形させながら膨出部４５が乗越える第１突起２６と、膨出部４５が第１突起２６を乗越えた位置で突出部４４の回転を規制する第２突起２７とで構成される。すなわち、図８に示すように、突起部２８を構成する第１突起２６と第２突起２７とが内蓋４の膨出部４５を挟持することで容器本体２に対するキャップ６の螺着が完了する。
また、図９に示すように、第２突起２７は、頸部２２の径外方向の突出量が次第に小さくなる傾斜面２９を有する。このため、キャップ６を開閉操作する際、傾斜面２９によって第２突起２７と突出部４４との接触を回避することができる。したがって、剛性を高めるために突出部４４の肉厚を大きくしても、途中でキャップ６が閉まらなくなることを防止できる。
【００２６】
３．中栓
中栓３は、筒状の外壁部３１と、外壁部３１の内側に液体の流量を絞る絞り部３２と、液体を保持して定量ずつ滴下可能に形成した注液口３４が設けられたノズル部３３と、を有する。中栓３は、容器本体２とは別に製造され、外壁部３１の外面と開口頂部２４の内面とを嵌合させて、容器本体２に固定される。なお、ブローフィルシール成形などにより、容器本体２と中栓３とを一体に成形したボトルパック（登録商標）としても良い。
本実施形態では、点眼液を排出する注液口３４を設けたが、粒状物を排出する排出口であっても良いし、中栓３を設けなくても良い。
【００２７】
４．内蓋
図３及び図４には、内蓋４の断面図及び側面図が示される。また、図５には、内蓋４を開口端部４３側から見た斜視図が示される。
内蓋４は、筒状の内面と、角をカットした矩形状の開口端部４３を形成する外面と、を有するカップ状で構成される。
内蓋４の内面は、容器本体２の雄ねじ部２３に螺着自在な螺旋状の雌ねじ部４１と、中栓３の注液口３４を密封するよう内側に突出した封止部４２と、を有している。また、内蓋４には、封止部４２とは反対側が開口された開口端部４３が形成されている。
【００２８】
開口端部４３の角部４６に、キャップ６の螺着軸方向に沿って突出量を揃えて突出形成される４つの突出部４４、４９が設けられている。これら突出部４４、４９が対向した配置で突出量を揃えているので、例えば内蓋４を水平な面に載置するような場合には、バランスよく載置することができる。このため、内蓋４の製造工程においてベルト搬送する際、内蓋４が倒れ難く安定して搬送されるので、製造効率が高まる。
また、突出部４４の回転方向の強度を確保するために、矩形状の開口端部４３のうち、剛性が高く且つ空間を多く確保できる角部４６に突出部４４を配置している。すなわち、突出部４４は、矩形状の角部４６の屈曲形状に沿って、径方向に十分な肉厚を持たせている。このため、限られたスペースで肉厚を最も確保し易く、突出部４４の強度を効果的に発揮できる構成となっている。
さらに、突出部４４は、内側に向けて膨出形成される膨出部４５を有している。膨出部４５は、突出部４４と同様、矩形状の開口端部４３の角部４６に設けられることで、肉厚を多く確保して剛性を高めている。この膨出部４５が、第１突起２６と第２突起２７とに挟持されて確実に回転が規制される。
【００２９】
本実施形態では、図９に示すように、突出部４４は、内蓋４が螺着する方向の後端に向かって突出量が小さくなる傾斜部４７を形成している。このため、キャップ６を開閉操作する際、傾斜部４７によって第２突起２７と突出部４４との接触を回避することができる。したがって、より一層剛性を高めるために突出部４４を極力大きく構成しても、途中でキャップ６が閉まらなくなることを防止できる。
【００３０】
カップ状の内蓋４の外面は、開口端部４３とは反対側で外蓋５と当接する底面４８と、開口端部４３の外周側に環状に突出したフランジ部４３１と、底面４８とフランジ部４３１との中間付近の位置で周方向に亘って肉厚を持ったリブ部４３２と、を有する。
外蓋５に内蓋４を内嵌する際、底面４８が外蓋５の内面上部に当接することで内蓋４と外蓋５との螺着軸方向に沿った位置決めが行われる。また、外蓋５のアンダーカット５１、５２とフランジ部４３１及びリブ部４３２の双方とが嵌合することで、内蓋４の上下左右方向の移動を規制し、安定感が高まる。このため、キャップ６の螺着操作時に、内蓋４と外蓋５とのがたつきを低減することができる。すなわち、内蓋４と外蓋５との嵌合は、フランジ部４３１及びリブ部４３２とアンダーカット５１、５２とを嵌合させる構成にしており、突出部４４が径外方向に弾性変形できるよう突出部４４と外蓋５の内面との間に隙間を設けている。
なお、本実施形態におけるリブ部４３２は、内蓋４の螺着軸方向に対して中間付近に設けたが、底面４８とフランジ部４３１との間の位置であれば適宜変更することが可能であり、複数のリブ部４３２を設けても良い。また、例えば、内蓋４の外面に突起を設けるなど、内蓋４と外蓋５とのがたつきを抑えることができるものであれば種々の変形が可能である。
【００３１】
キャップ６の螺着操作時、突出部４４が第２突起２７に当接して内蓋４の回転が規制されるが、使用者がキャップ６の回転を止めない場合、外蓋５のアンダーカット５１と内蓋４のフランジ部４３１との嵌合が緩み、内蓋４に対して外蓋５が回転方向にがたつくおそれがある。
本実施形態では、フランジ部４３１の外面のうち、突出部４４の基端部近傍に径外方向に突出した突起４３３を設けると共に、同一辺上にもう一つの突起４３３を設けている。このため内蓋４と外蓋５との当接力を高め、内蓋４に対する外蓋５の回転のがたつきを抑制することができる。また、突起４３３がフランジ部４３１と外蓋５のアンダーカット５１との僅かな隙間に介在するので、内蓋４の外蓋５に対する組付誤差を許容する。
なお、突起４３３は、フランジ部４３１の外周に亘って複数設けても良い。
【００３２】
５．外蓋
外蓋５は、図１及び図２に示すように、幅と奥行きとが容器本体２の胴部２１と同程度の四角柱状の外面と、内蓋４が嵌合する内面と、を備えている。
【００３３】
外蓋５の内面は、内蓋４のフランジ部４３１とリブ部４３２とに対応する位置に、内径を大きくしたアンダーカット５１、５２を有している。外蓋５のアンダーカット５１、５２と内蓋４のフランジ部４３１及びリブ部４３２の双方とが嵌合することによって、内蓋４の移動を規制して安定感が高まる。
【００３４】
６．回転防止機構
次に、容器本体２に対する内蓋４の螺着完了位置を決定する回転防止機構について、図６〜図８を用いて説明する。図６〜図８は、膨出部４５が第１突起２６の乗越えを開始する前から螺着完了時までの内蓋４の開口端部４３と容器本体２の頸部２２とを表す図面である。
本実施形態では、膨出部４５が、容器本体２の頸部２２に形成された第１突起２６と第２突起２７とに挟持されることで、内蓋４と容器本体２との螺着完了位置を決定する回転防止機構を備えている。回転防止機構は、突出部４４及び膨出部４５と、第１突起２６及び第２突起２７と、で構成される。
【００３５】
まず、内蓋４を外蓋５に内嵌して形成されたキャップ６を容器本体２に所定量螺入すると、図６に示すように、膨出部４５が第１突起２６の側面に当接して螺着開始位置となる。
次いで、使用者がキャップ６をさらに回すと、膨出部４５は第１突起２６の外面に沿って乗越える。この時、膨出部４５が第１突起２６への乗越えを開始し始めるので、突出部４４及び膨出部４５には回転トルクに起因した曲げ力が付与される。さらに、膨出部４５が第１突起２６から押圧力を受け、図７に示すように、突出部４４及び膨出部４５が径外方向に弾性変形される。
次いでキャップ６を回転すると、図８に示すように、螺着方向に対して突出部４４が第２突起２７の側面に当接して螺着完了位置となる。螺着が完了すると、突出部４４が第２突起２７によって回転が規制され、使用者はキャップ６が閉まったことを感知する。
【００３６】
また、使用者は、膨出部４５が第１突起２６を乗越える時の突出部４４の弾性復元力によって所望のクリック感を得ることができる。このため、螺着が完了したことを容易に知ることができる。特に、本実施形態のように突出部４４が螺着軸方向に突出して形成されているので、使用者は歯切れのいい音と弾性復元力による適度な振動を感じることができ、快適なクリック感を得ることができる。
【００３７】
螺着開始位置から膨出部４５が第１突起２６を乗越える位置に移行する際、キャップ６の回転トルクによって、突出部４４を外方に曲げようとする曲げ力が発生する。点眼容器１のように何度も開閉を繰り返す容器であると曲げ力が繰り返し発生し、突出部４４の根元に亀裂が入り復元力を失い、変形するおそれがある。
しかしながら、上述したように、突出部４４を矩形状の開口端部４３のうち、最も剛性が高く且つ肉厚の確保し易い角部４６に配置して、曲げ変形による亀裂による弾性復元力の低下を招き難い構成となっている。
【００３８】
膨出部４５が第１突起２６を乗越える時、第１突起２６から径外方向の押圧力を受ける。この時、例えば、突出部４４が開口端部４３の周方向に沿って直線で形成されている場合、押圧力によって突出部４４の根元が容易に折れ曲がるので、繰り返し第１突起２６からの押圧力を受けると、突出部４４の根元に亀裂が入るおそれがある。
しかしながら、上述したように、突出部４４は、角部４６の屈曲形状に沿って配置され、且つ径方向に十分な肉厚を確保しているので、第１突起２６からの押圧力によって突出部４４の根元が曲がり難く、亀裂が入るおそれを低減できる。
【００３９】
螺着が完了する時、使用者が大きなトルクでキャップ６を回転すると、突出部４４は第２突起２７の側面から強い反力を受ける。このため、突出部４４が曲がり変形し、第２突起２７による回転規制機能が損なわれるおそれがある。
しかしながら、上述したように、矩形状に形成された開口端部４３の角部４６に、突出部４４を配置して肉厚を十分確保しているので、第２突起２７によって確実に回転が規制される。
一方、突出部４４をあまり大きくすると、膨出部４５の回転を規制する第２突起２７の径方向に対向して設けられた他方の第２突起２７に接触するおそれがある。
しかしながら、図９に示すように、突出部４４に傾斜部４７を設けることで他方の第２突起２７と突出部４４との接触を回避することができる。したがって、より一層剛性を高めるために突出部４４を極力大きく構成しても、途中でキャップ６が閉まらなくなることを防止できる。
【００４０】
本実施形態のおける回転防止機構を備えることで、弾性変形や曲げ変形を効果的に抑制し、所望のクリック感を得つつ安定したキャップ６の開閉操作が可能となる。
【００４１】
［別実施形態１］
図１０に示すように、内蓋４の開口端部４３を四角形にして、突出部４４、４９は、四角形の角部４６から突出形成する構成としてもよい。これにより、さらに突出部４４及び膨出部４５の肉厚を確保し易く剛性が高まるので、より一層安定したキャップ６の螺着操作が可能となる。
【００４２】
上述した実施形態では、内蓋４と外蓋５とでキャップ６を構成したが、以下にキャップ６が一体で成形される例を示す。なお、図面の理解を助けるため、上述の実施形態と同様の符号を付して説明するが、特に限定されるものではない。
【００４３】
［別実施形態２］
図１１に示すように、本実施形態のキャップ６（蓋部）は、天井裏面６２と外周壁部６５とでカップ状に形成され、天井裏面６２からキャップ６の開口側に向けて突出し、多角形状の外面を有する柱状部６４を形成している。また、柱状部６４は、容器本体２の頸部２２に対して螺着する有底孔状の雌ねじ部４１（螺合部）と、先端には雌ねじ部４１の開口端部６１に設けられた多角形状の端面６３とを有している。柱状部６４の外面と外周壁部６５の内面とは、キャップ６の螺着操作時に突出部４４が曲がり変形できるように所定の間隔を空けて形成されている。
【００４４】
多角形状の端面６３の角部４６に、キャップ６の螺着軸方向に沿って突出量を揃えて突出形成される２つの突出部４４が設け、２つの突出部４４から内側に向けて膨出形成される膨出部４５を形成している。また、突出部４４は、キャップ６が螺着する方向の後端に向かって突出量が小さくなる傾斜部４７を形成している。なお、上述した実施形態同様、キャップ６の螺着軸方向に沿って突出量を揃えて突出形成される２つの突出部４９を設けても良く、突出部４９を１つ設けるなど設置数は特に限定されない。
【００４５】
突出部４４の端面４４１は、外周壁部６５の端面６５１と同一平面上にあるか、少なくとも端面６５１より天井裏面６２に向かって引退している。つまり、突出部４４がキャップ６に内包された状態であり、螺着操作時における接触が回避されるので、突出部４４の強度が低下することがない。また、キャップ６は一体に成形されるので、生産効率が高まる。その他の作用効果は、上述した実施形態と同じである。
【００４６】
［別実施形態３］
本実施形態では、図１２に示すように、別実施形態２における柱状部６４と外周壁部６５とが一体に形成される単一の壁部６６を設けている。この場合、多角形状の端面６３は、壁部６６に段差部６７を設けることで形成される。つまり、多角形状の端面６３は、キャップ６の開口側からキャップ６の頂部６８の側に向けて段落ち状態に形成してある。また、段差部６７から曲がり変形できる所定の距離を空けて、多角形状の端面６３の角部４６に２つの突出部４４を形成している。さらに、突出部４４の端面４４１は、段差部６７の上面と同一平面上にあるか、少なくとも頂部６８に向かって引退している。よって、本実施形態においても別実施形態２と同じ作用効果を奏する。なお、上述した実施形態同様、キャップ６の螺着軸方向に沿って突出量を揃えて突出形成される２つの突出部４９を設けても良く、突出部４９を１つ設けるなど設置数は特に限定されない。
【００４７】
［その他の実施形態］
（１）内蓋４の開口端部４３やキャップ６の端面６３は、例えば、六角形にするなど多角形状の角部４６を持ったものであれば、種々の変形が可能である。
（２）上述した実施形態では、突出部４４及び膨出部４５を２つ設けて配置しているが、例えば、突出部４４及び膨出部４５を１つ設けて配置してもよい。その他、突出部４４及び膨出部４５を３つ設けるなど、本発明の目的を逸脱しない範囲で種々の変更が可能である。
（３）上述した実施形態では、外形が四角柱状のキャップ６を構成したが、例えば円柱状のものにするなど、どのような形状であっても良い。
【産業上の利用可能性】
【００４８】
本発明は、何度も開閉操作を繰返して使用する蓋付き容器として、例えば目薬、化粧品、動物薬などの用途に用いられる容器に利用可能である。
【符号の説明】
【００４９】
１    点眼容器（蓋付き容器）
２    容器本体
２２  頸部
２６  第１突起（突起部）
２７  第２突起（突起部）
４    内蓋
４１  雌ねじ部（螺合部）
４３  開口端部
４３１  フランジ部
４３２  リブ部
４３３  突起
４４、４９  突出部
４５  膨出部
４６  角部
４７  傾斜部
４８  底面
５    外蓋
５１、５２  アンダーカット
６    キャップ（蓋部）
６１  開口端部
６２  天井裏面
６３  端面
６４  柱状部
６７  段差部
６８  頂部
【図１】
2014148356.tif 000003
【図２】
2014148356.tif 000004
【図３】
2014148356.tif 000005
【図４】
2014148356.tif 000006
【図５】
2014148356.tif 000007
【図６】
2014148356.tif 000008
【図７】
2014148356.tif 000009
【図８】
2014148356.tif 000010
【図９】
2014148356.tif 000011
【図１０】
2014148356.tif 000012
【図１１】
2014148356.tif 000013
【図１２】
2014148356.tif 000014